(57)【特許請求の範囲】
【請求項１】
車体フレームの一部に設けられるものであって回転運動可能なように設けられるシャフトと、当該シャフトの両端部のところに当該シャフトに対して直角状に、かつ、本シャフトの中心を基点にして１８０°対称形を成すように設けられる２本のクランクアームと、当該各クランクアームの先端部に設けられるペダルと、上記シャフトの一方の端部側に設けられるものであってチェーンの取付けられるギヤと、上記クランクアームの回転運動にて形成される面と平行なように形成される所定の平面内に設けられるものであって、上記一方のクランクアームの長手方向中心線に対して対称形を成すように形成される２ピース構成からなるバランスウエイトと、からなり、このようなバランスウエイトを形成するそれぞれのピースの取付位置を、上記平面のいずれか一方の面上であり、かつ、その円周方向において、各ピースの回転運動による遠心力にて形成される各ベクトル値の上記一方のクランクアーム長手方向中心線の、その延長線上へのベクトル合成値が、上記クランクアーム及びペダルの回転運動にて形成される運動エネルギーによるベクトル値と同じ値となるように調整することのできるようにしたことを特徴とする自転車用駆動装置。
【請求項２】
車体フレームの一部に設けられるものであって回転運動可能なように設けられるシャフトと、当該シャフトの両端部のところに当該シャフトに対して直角状に、かつ、本シャフトの中心を基点にして１８０°対称形を成すように設けられる２本のクランクアームと、当該各クランクアームの先端部に設けられるペダルと、上記シャフトの一方の端部側に設けられるものであってチェーンの取付けられるギヤと、当該ギヤの一方の面側に設けられるものであって、上記一方のクランクアームの長手方向中心線に対して対称形を成すように設けられる２ピース構成からなるバランスウエイトと、からなり、このようなバランスウエイトを形成するそれぞれのピースの取付位置を、上記ギヤのいずれか一方の面上であり、かつ、その円周方向において、これら各ピースの回転運動による遠心力にて形成される各ベクトル値の上記一方のクランクアームの長手方向中心線の、その延長線上へのベクトル合成値が、上記クランクアーム及びペダルの回転運動にて形成される運動エネルギーによるベクトル値と同じ値となるように調整することのできるようにしたことを特徴とする自転車用駆動装置。
【請求項３】
車体フレームの一部に設けられるものであって回転運動可能なように設けられるシャフトと、当該シャフトの両端部のところに当該シャフトに対して直角状に、かつ、本シャフトの中心を基点にして１８０°対称形を成すように、それぞれ設けられる２本のクランクアームと、当該各クランクアームの先端部に設けられるペダルと、上記シャフトの一方の端部側に設けられるものであってチェーンの取付けられる円盤状のギヤと、当該ギヤと平行なように形成される円盤状部材の、その一方の面側に設けられるものであって、上記いずれか一方のクランクアームの長手方向中心線の、その延長線上であって上記円盤状部材の放射線方向にスライド移動が可能なように取付けられるバランスウエイトと、からなるようにしたことを特徴とする自転車用駆動装置。
【請求項４】
車体フレームの一部に設けられるものであって回転運動可能なように設けられるシャフトと、当該シャフトの両端部のところに当該シャフトに対して直角状に、かつ、本シャフトの中心を基点にして１８０°対称形を成すように、それぞれ設けられる２本のクランクアームと、当該各クランクアームの先端部に設けられるペダルと、上記シャフトの一方の端部側に設けられるものであってチェーンの取付けられるギヤと、上記シャフトのいずれか一方の端部側に形成される面上であって、上記いずれか一方のクランクアームの長手方向中心線の、その延長線上に設けられる第一のバランスウエイトと、上記シャフトのもう一方側の端部のところに設けられるものであって円盤状の形態からなるフライホイールと、当該フライホイールのいずれか一方の面上に設けられるものであってもう一方のクランクアームの長手方向中心線の、その延長線上に設けられるものであり、かつ、上記フライホイールの円周面上において、その円周方向に取付位置の調整が可能なように形成された第二のバランスウエイトと、からなるようにしたことを特徴とする自転車用駆動装置。
【請求項５】
請求項１ないし請求項４のいずれかに記載の自転車用駆動装置において、上記クランクアームを、クランク軸側に設けられる第一アームと、ペダル側に設けられる第二アームと、からなるようにするとともに、これら両アームにて形成されるクランク軸中心とペダル取付部中心との間の長さを適宜調整することのできるようにした構成からなることを特徴とする自転車用駆動装置。
【発明の詳細な説明】
【技術分野】
【０００１】
本発明は、自転車のペダルに入力される一方向への直線運動力をペダル、ギヤを基礎とした駆動系の回転運動へと円滑に変換させるようにした自転車用駆動装置に関するものである。
【背景技術】
【０００２】
一般に、自転車の駆動機構に関しては、直線運動を回転運動に変換させることを積極的に考慮した発想はほとんど見当たらない。わずかに、これに類するものとして、特開２０１３−８６５３５号公報記載のものが挙げられる。
【先行技術文献】
【特許文献】
【０００３】
【特許文献１】特開２０１３−８６５３５号公報
【発明の概要】
【発明が解決しようとする課題】
【０００４】
ところで、上記従来のものは、いずれか一方のクランクアーム側に円盤状の偏心錘を設け、これによって、クランクアームの回転始動時に、クランクアームの先端部に設けられるペダルの位置が、ペダル回転運動の上死点位置よりもわずかに踏込側に来るように設定することとしたクランクアーム、ペダルを主とした自転車用駆動装置に関するものである。このような構成を採ることにより、この従来のものにおいては、搭乗者のペダル踏込操作時に、慣性力がより効果的に働く（作用する）ようになっているものである。しかしながら、このものは、本願発明がねらいとするような直線入力運動を円滑な回転運動に変換させることを目的としているものではない。これに対して、本願発明においては、ペダルに入力される直線運動を円滑な回転運動に変換させるための手段として、一方のペダルが回転運動を開始した状態において、当該ペダルの有する回転運動エネルギーと等価の回転運動エルネギーを生じさせるようなバランスウエイトを上記ペダルの取付けられるクランクアームの軸線上であって上記ペダルと対向する側に設け、これによって、ペダルの回転運動を円滑に行なわせようとするのが、本発明の目的である。なお、この場合において、自転車の走行条件の如何等によってクランクアーム、特にクランクアーム長さを換えたいような場合がある。このような場合に対処するため、上記バランスウエイトの取付位置、または取付状態を適宜調整することによって対処することのできるようにした自転車用駆動装置を提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、自転車用駆動装置に関して、車体フレームの一部に設けられるものであって回転運動可能なように設けられるシャフトと、当該シャフトの両端部のところに当該シャフトに対して直角状に、かつ、本シャフトの中心を基点にして１８０°対称形を成すように設けられる２本のクランクアームと、当該各クランクアームの先端部に設けられるペダルと、上記シャフトの一方の端部側に設けられるものであってチェーンの取付けられるギヤと、上記クランクアームの回転運動にて形成される面と平行なように形成される所定の平面内に設けられるものであって、上記一方のクランクアームの長手方向中心線に対して対称形を成すように形成される２ピース構成からなるバランスウエイトと、からなり、このようなバランスウエイトを形成するそれぞれのピースの取付位置を、上記平面のいずれか一方の面上であり、かつ、その円周方向において、各ピースの回転運動による遠心力にて形成される各ベクトル値の上記一方のクランクアーム長手方向中心線の、その延長線上へのベクトル合成値が、上記クランクアーム及びペダルの回転運動にて形成される運動エネルギーによるベクトル値と同じ値となるように調整することのできるようにした構成を採ることとした。
【０００６】
次に、請求項２記載の発明である第二の発明においては、自転車用駆動装置に関して、車体フレームの一部に設けられるものであって回転運動可能なように設けられるシャフトと、当該シャフトの両端部のところに当該シャフトに対して直角状に、かつ、本シャフトの中心を基点にして１８０°対称形を成すように設けられる２本のクランクアームと、当該各クランクアームの先端部に設けられるペダルと、上記シャフトの一方の端部側に設けられるものであってチェーンの取付けられるギヤと、当該ギヤの一方の面側に設けられるものであって、上記一方のクランクアームの長手方向中心線に対して対称形を成すように設けられる２ピース構成からなるバランスウエイトと、からなり、このようなバランスウエイトを形成するそれぞれのピースの取付位置を、上記ギヤのいずれか一方の面上であり、かつ、その円周方向において、これら各ピースの回転運動による遠心力にて形成される各ベクトル値の上記一方のクランクアームの長手方向中心線の、その延長線上へのベクトル合成値が、上記クランクアーム及びペダルの回転運動にて形成される運動エネルギーによるベクトル値と同じ値となるように調整することのできるようにした構成を採ることとした。
【０００８】
次に、請求項３記載の発明である第三の発明においては、自転車用駆動装置に関して、車体フレームの一部に設けられるものであって回転運動可能なように設けられるシャフトと、当該シャフトの両端部のところに当該シャフトに対して直角状に、かつ、本シャフトの中心を基点にして１８０°対称形を成すように、それぞれ設けられる２本のクランクアームと、当該各クランクアームの先端部に設けられるペダルと、上記シャフトの一方の端部側に設けられるものであってチェーンの取付けられる円盤状のギヤと、当該ギヤと平行なように形成される円盤状部材の、その一方の面側に設けられるものであって、上記いずれか一方のクランクアームの長手方向中心線の、その延長線上であって上記円盤状部材の放射線方向にスライド移動が可能なように取付けられるバランスウエイトと、からなるようにした構成を採ることとした。
【０００９】
次に、請求項４記載の発明である第四の発明においては、自転車用駆動装置に関して、車体フレームの一部に設けられるものであって回転運動可能なように設けられるシャフトと、当該シャフトの両端部のところに当該シャフトに対して直角状に、かつ、本シャフトの中心を基点にして１８０°対称形を成すように、それぞれ設けられる２本のクランクアームと、当該各クランクアームの先端部に設けられるペダルと、上記シャフトの一方の端部側に設けられるものであってチェーンの取付けられるギヤと、上記シャフトのいずれか一方の端部側に形成される面上であって、上記いずれか一方のクランクアームの長手方向中心線の、その延長線上に設けられる第一のバランスウエイトと、上記シャフトのもう一方側の端部のところに設けられるものであって円盤状の形態からなるフライホイールと、当該フライホイールのいずれか一方の面上に設けられるものであってもう一方のクランクアームの長手方向中心線の、その延長線上に設けられるものであり、かつ、上記フライホイールの円周面上において、その円周方向に取付位置の調整が可能なように形成された第二のバランスウエイトと、からなるようにした構成を採ることとした。
【００１０】
次に、請求項５記載の発明である第五の発明においては、請求項１ないし請求項４のいずれかに記載の自転車用駆動装置に関して、上記クランクアームを、クランク軸側に設けられる第一アームと、ペダル側に設けられる第二アームと、からなるようにするとともに、これら両アームにて形成されるクランク軸中心とペダル取付部中心との間の長さを適宜調整することのできるようにした構成を採ることとした。
【発明の効果】
【００１１】
請求項１記載の発明である第一の発明のものにおいては、一方のクランクアーム及びペダルを主としたこれら回転運動エネルギー量のバランスが保たれることとなる。すなわち、本発明のものにおいては、バランスウエイトを、一方のクランクアームの長手方向軸線上に設けるとともに、上記バランスウエイトによって形成される回転運動エネルギーの値とクランクアーム及びペダル、主にペダルの回転運動によって形成される運動エネルギーの値とを等価の状態に保持することができるようになり、これによって、搭乗者によるペダルの踏込操作時において、円滑な回転運動操作を保持することができるようになる。
【００１２】
また、請求項２記載の発明である第二の発明のものにおいても、上記第一の発明のものと同様、搭乗者の踏込操作時において、ギヤへは効率良くエネルギーを入力させることができるようになり、円滑な回転運動を保持することができるようになる。
【００１３】
また、請求項１及び請求項２記載の発明においては、バランスウエイトの取付位置を、上記ギヤの円周面上または取付部材の円周面上において、適宜微調整することができるようにしたので、これによって、主にペダルまたはクランクアームを走行条件等に合わせて換えたような場合、その都度の回転運動系の微調整を円滑に行なうことができるようになる。
【００１４】
また、請求項３記載の発明である第三の発明のものにおいては、バランスウエイトを、シャフトを中心にして円盤状ギヤの放射線方向に適宜張出させることができるようにしたので、主にペダルまたはクランクアームの質量変動等によって生ずる回転運動エネルギーの変動を上記バランスウエイトの取付状態を微調整することによって全体のバランスを採ることができるようになる。その結果、ペダルの回転運動操作を円滑に保持することができるようになる。
【００１５】
また、請求項４記載の発明である第四の発明のものにおいては、シャフトの両端部のところに、それぞれバランスウエイトを設けるようにしたものである。このような二つのバランスウエイトをシャフトの両端部のところに設けることによって、左右のクランクアームの一回転中における運動が円滑に進められることとなる。これによって、左右のクランクアームの回転運動は円滑な状態に保たれることとなり、車体には不整な振動等が生じないようになる。その結果、搭乗者は左右のペダルの円滑な踏込操作を行うことができるようになり、疲労感の少ない効率的な走行を行うことができるようになる。
【００１６】
また、請求項５記載の発明である第五の発明のものにおいては、クランクアーム全体が二分割構造となっているとともに、これら二つのアーム部が連結ボルトにて連結されるようになっていることより、当該連結ボルトを適宜弛緩または締付けを行うことによって、クランクアームの全体長さを、その時の状況に応じて変化させる（変更する）ことができるようになる。すなわち、本発明のものにおいては、クランクアームの長さをある程度の範囲内においてではあるが、適宜値に調整をすることができることとなる。
【図面の簡単な説明】
【００１７】
【図１】円盤状ディスクプレートの面上にバランスウエイトを取付けるようにしたものの基本構成を示す展開斜視図である。
【図２】ギヤ側にバランスプレートを設けるようにしたものの基本構成を示す展開斜視図である。
【図３】ディスクプレート上にバランスウエイトを設けるようにしたものであって２ピース方式のものの一般形態を示す図である。
【図４】２ピース方式のバランスウエイトを有するものにおいて、各ピースの取付位置を微調整した状態を示す図である。
【図５】ギヤの側面に２ピース方式のバランスウエイトを取付けた状態を示す図である。
【図６】ギヤ側に二つのバランスプレートを設けるようにしたものにおいて、各プレートの取付位置を微調整した状態を示す図である。
【図７】円盤状ディスクプレートの放射線方向にバランスウエイトの取付位置を微調整することのできるようにしたものの基本構成を示す図である。
【図８】シャフトの一方の端部側にはフライホイール並びに当該フライホイールに対して平行に設けられるディスクプレートの面上に第一のバランスウエイトを有するとともに、シャフトのもう一方の端部側にはギヤ及び第二のバランスウエイトを形成するバランスプレートを有するようにしたものの全体構成を示す展開斜視図である。
【図９】本発明におけるクランクアームの長さを変更（調整）することのできるようにした可変クランクアームの構成を示す図である。
【発明を実施するための形態】
【００１８】
本発明を実施するための形態について、図１ないし図９を基に説明する。本実施の形態にかかるものの、その基本構成は、ペダルの回転運動にて形成される運動エネルギーである遠心力Ｍの値と、各バランスウエイトの回転運動にて形成される遠心力の合計値（ベクトル）Ｆの値とを等価の状態にするようにしたものである。具体的には、例えば図１または図２に示す如く、車体フレームの一部、例えば下方部のところに設けられるものであって回転運動可能なように設けられるシャフトアセンブリ（シャフト）３と、当該シャフト３の両端部のところに当該シャフト３に対して直角状に、かつ、本シャフト３の中心Ｏ１Ｏ１（図２参照）を基点にして１８０°対称形を成すように設けられる２本のクランクアーム６、６と、当該各クランクアーム６、６の先端部に設けられるペダル９、９と、上記シャフト３の一方の端部側に設けられるものであってチェーンの取付けられるギヤ８（図２参照）と、当該ギヤ８と平行なように設けられるフライホイール５と、当該フライホイール５と平行なように形成されるディスクプレート２２の一方の面側に設けられるバランスウエイト２、または、クランクアーム６が回転運動をすることによって形成される面と平行なように形成される面上に設けられ、かつ、所定の質量を有するバランスプレート１（図２参照）と、からなることを基本とするものである。
【００１９】
このような基本構成からなるものにおいて、上記バランスウエイトとしては、大きく分けて２種類のものが挙げられる。一つのものは、例えば図１に示す如く、２ピース構成からなるものである。すなわち、それぞれのチップ状バランスウエイト２、２がフライホイール５と平行なように設けられたディスクプレート２２の円周面上に取付ボルト２５等を介して取付けられるようになっているものである。そして、このようなチップ状バランスウエイト２、２の取付けられたディスクプレート２２が所定の取付部材８８を介して、フライホイール５等とともに、シャフト３の一方の端部側に、センターボルト３６（図２参照）をもって取付けられるようになっているものである。そして更に、これらフライホイール５、ディスクプレート２２等の取付けられた上記シャフト３の一方の端部側にはクランクアーム６が取付けられるとともに、当該クランクアーム６の端部側にはペダル９が取付けられるようになっているものである。
【００２０】
なお、上記各チップ状バランスウエイト２、２は、具体的には、図１または図３に示す如く、ディスクプレート２２の円周面上に、かつ、同心円状に取付ボルト２５を介して取付けられるようになっているものである。また、このチップ状バランスウエイト２、２は、例えば図５に示す如く、ギヤ８の一方の面側に直接取付けるようにしたものも挙げられる。そして、これらの場合における各チップ状バランスウエイト２、２は、例えば図３に示す如く、その取付状態が任意の角度（θ）の値を適宜値に設定することができるようになっているものである。このθの値を適宜値に設定することによって、各バランスウエイト２、２にて形成される遠心力の合成値（ベクトル値）Ｆを、主にペダル９の回転運動にて生ずる運動エネルギーにて形成される遠心力Ｍの値と等価の状態にバランスさせるようにしているものである。
【００２１】
次に、これら各チップ状バランスウエイト２、２がギヤ８と平行なように設けられたディスクプレート２２の円周面上に設けられるようにしたものについて述べる。このものは、具体的には、図４の（Ａ）、（Ｂ）に示す如く、各バランスウエイト２、２の取付状態を、その取付角度θ１、θ２となるように微調整するようにしているものである。このような取付角度を適宜値に設定することによって、仕様変更等によってペダル９を主とした遠心力Ｍ１の値に変動が生じたような場合において、上記θの値をθ１またはθ２に適宜調整することによって、Ｆ１＝Ｍ１となるように回転運動エネルギーの値、具体的には遠心力の値を等価状態にバランスさせ、これによってペダル９、クランクアーム６の回転運動を常に円滑に行なわせるようにしているものである。その結果、ペダルの踏込力をクランクアーム６の回転運動へと効率良く変換させ、これによってギヤ８の回転運動を円滑に行なわせることができるようになる。
【００２２】
次に、上記バランスウエイトを形成する各チップ状バランスウエイト２、２を、ギヤ８の、いずれか一方の面側に直接取付けるようにしたものが挙げられる。このものは、例えば図５の（Ａ）または（Ｂ）に示すようなものであって、ギヤ８に取付ボルト２５を介して取付けられるようになっているものである。このような構成を採ることにより、ディスクプレート２２が省略化され、本駆動装置全体の質量軽減化、更には製造コストの低減化が図られることとなる。なお、本実施の形態のものにおいても、チップ状バランスウエイト２の、その取付位置の微調整は、図５の（Ａ）、（Ｂ）に示す如く、θの値を適宜調整することによって各バランスウエイト２、２にて生ずる遠心力ｆ、ｆのベクトル合成値Ｆ２をペダル９の有する遠心力Ｍ２と等価の状態に調整するようにしているものである。なお、この場合における各バランスウエイト２、２の取付調整は取付ボルト２５を適宜弛緩または締め付けることによって行なわれることとなる。
【００２３】
次に、バランスウエイトに関するもう一つの例としては、図２に示すようなものが挙げられる。このものは、バランスプレート１を基礎に形成されるものである。具体的には、図２に示す如く、プレート状の形態からなるものであって、中心線Ｏ１Ｏ１に対して所定量偏心した位置に形成される質量部１１を有するプレート状の形態からなるものが挙げられる。なお、本実施の形態においては、バランスプレート１は２枚構成からなるものが図示されているが、当該バランスプレート１の枚数は特に限定されるものではなく、一枚であっても良いし、場合によっては３枚以上の複数枚となるものであっても良い。要は、所定量のバランスウエイトが形成されるようなものであれば良い。そして、このような構成からなるバランスプレート１が、ギヤ８等とともに上記シャフト３のもう一方の端部側に取付部材８８、取付ボルト１８等を介して取付けられるようになっているものである。そして更に、このようなギヤ８、バランスプレート１等の取付けられた状態の上記シャフト３の端部側には、クランクアーム６が取付けられるようになっているものである。なお、本クランクアーム６は、図１に示すクランクアーム６に対して、上記シャフト３の中心線Ｏ１Ｏ１に対して直角な面内において１８０°対称形を成すように取付けられるようになっているものである。そして、このようなクランクアーム６の先端部にはペダル９が取付けられるようになっているものである。
【００２４】
このような構成からなるもののバランスプレート１、１の基本的な構成は、例えば図６に示す如く、一方のクランクアーム６の縦方向中心線における、その中心点Ｏ１を含む延長線上に重心位置が来るようになっているものである。なお、このようなバランスプレート１が２枚構成からなるものにおいて、それぞれの質量部１１、１１の位置を、例えば図６の（Ａ）、（Ｂ）に示す如く、相互間の開き角度（θ１、θ２）を有するように設定（調整）することとしたものが挙げられる。具体的には、まず、各バランスプレート１、１を固定するものであって各バランスプレート１、１に設けられた切欠溝１５内に設けられる取付ボルト２５の、その締付力を弛緩させる。そして、このような状態において、各バランスプレート１、１を図６の（Ａ）、（Ｂ）に示す如く、シャフト３の軸中心Ｏ１を基点にして、所定の角度θ１、θ２を有するように移動させる。このような状態において上記取付ボルト２５を再度締め付ける。これによって、質量部１１、１１の位置が回転中心Ｏ１を基点にして、θ１またはθ２の値だけ移動する。その結果、ペダル９等が変更されることによって当該ペダル９の回転運動にて形成される運動エネルギー量、具体的には遠心力Ｍ３の値に変動が生じた場合、これに対向する等価の遠心力Ｆ３を上記θの値を替えることによって、それぞれのバランスウエイトにて形成される遠心力の値（ｆ）は変えずに、ベクトルとして働く、その方向を変えることによって最終的なベクトル合成値（Ｆ３）の値を変化させるようにしているものである。これによって、力（遠心力）のバランスが図られることとなる。このように、ペダル９の遠心力（Ｍ）の値とバランスプレート１、１を形成する質量部１１、１１にて形成される運動エネルギー（遠心力：Ｆ）の値とをバランスさせることによって、ペダル９及びクランクアーム６の回転運動が円滑に保持されることとなる。
【００２５】
次に、バランスウエイトの構成に関する変形例について、図７を基に説明する。このものは、チップ状のバランスウエイト２がディスクプレート２２の円周面上であって、クランクアーム６の縦方向中心線の、その延長線（Ｏ１を含む）上に設けられるようになっているものである。具体的には、図７の（Ａ）、（Ｂ）に示す如く、チップ状バランスウエイト２は、そのスリット２８のところがロックボルト２９を介して上記ディスクプレート２２の円周面上に取り付けられるようになっているものである。そして、上記スリット２８は長穴状の形態となっていることより、本チップ状バランスウエイト２自体は、上記スリット２８を介して、その取付位置を図７の（Ａ）の状態から（Ｂ）の状態へと変化させることができる。このようにチップ状バランスウエイト２の位置を本ディスクプレート２２の回転中心Ｏ１の位置から半径方向に変化させることによって、本ディスクプレート２２を主体とした回転運動エネルギーである遠心力Ｆ４の値を上記ペダル９の回転運動によって形成される運動エネルギーである遠心力Ｍ４と同じ値に調整することができるようになる。これによって、本駆動装置全体における回転運動エネルギーのバランスを保たせることとし、本駆動装置全体の円滑な回転運動を保持することができることとなる。
【００２６】
次に、このような構成からなるバランスウエイトの取付構成について、シャフト３の一方の端部側にはチップ状バランスウエイト２を設けるようにするとともに、シャフト３のもう一方の端部側にはバランスプレート１方式のバランスウエイトを設けるようにした複合方式のものについて、図８を基に説明する。このものは、シャフト３の一方の端部側に、その円周面上にチップ状バランスウエイト２を有するディスクプレート２２を、取付部材８８、センターボルト３６を介して取付ける。そして、このようなディスクプレート２２の外側にフライホイール５を取付ける。そして更に、このような状態において、上記シャフト３の一方の端部側に、一方のクランクアーム６を設けるとともに、当該クランクアーム６の端部のところにペダル９を設ける。また、上記シャフト３のもう一方の端部側には、ギヤ８が取付部材８８及びセンターボルト３６を介して取付けられる。このような状態において、上記ギヤ８の外側のところにバランスプレート１が取付けられるとともに、このような状態において、更に、これらの外側のところであって、上記シャフト３のもう一方の端部側にはもう一方のクランクアーム６が取付けられる。そして更に、このようなクランクアーム６の端部のところにはペダル９が取付けられ、これによって、本駆動装置全体が形成されることとなる。
【００２７】
このように、本実施の形態のものにおいては、シャフト３を中心にして、その一方の端部側にはディスクプレート２２を介してチップ状バランスウエイト２が設けられるとともに、もう一方の端部側にはバランスプレート１からなるもう一方のバランスウエイトが設けられるようになっていることより、自転車車体の前後方向中心線を基準にして、左右のバランスウエイトに平衡状態を形成させることができるようになる。その結果、本駆動装置の作動時、すなわち、シャフト３を中心としたフライホイール５、ディスクプレート２２、ギヤ８、バランスプレート１の回転運動時において、円滑な回転運動が形成されることとなる。これによって、搭乗者は、脚部周りの円滑な運動を保持することができるようになり、快適な自転車走行を行うことができることとなる。
【００２８】
なお、本実施の形態においては、例えば図９に示す如く、上記クランクアームを２分割構造からなるようにするとともに、全クランクアームの長さをＬからＬ’へと変化させるようにしたものが挙げられる。このものは、例えば図９の（Ａ）に示す如く、クランク軸の軸中心点Ｏ１を支点にして回転運動可能なように設けられる第一アーム６１と、当該第一アーム６１の延長線上に設けられるものであって、その先端部にはペダル９が取付点Ｏ９を中心にして回転自在なように取付けられる第二アーム６２と、からなることを基本とするものである。このような構成からなるものにおいて、上記第二アーム６２の第一アーム６１への連結部周りのところには、例えば図９の（Ａ）、（Ｂ）に示す如く、連結ボルト７の軸部が挿入されるものであって上記各アーム６１、６２の軸線方向に延びるように形成された長穴６６、６６が形成されるようになっている。また、上記第一アーム６１のクランク軸の軸中心点Ｏ１に近いところには本クランクアームからの回転トルクをギヤ８側へ伝達する役目を果たすアンカー６８が設けられるようになっている。そして、このような構成からなるものにおいて、上記第一アーム６１の先端部付近には、例えば図９の（Ｂ）に示す如く、上記第二アーム６２に形成された長穴６６、６６のところに挿入された連結ボルト７の雄ネジ部７１１、７１１が係合するように形成された雌ネジ部６１１、６１１が設けられるようになっている。
【００２９】
このような構成からなるものにおいて、上記長穴６６、６６のところには傘状のフランジ部を有する特殊な連結ボルト７、７が取付けられるようになっている。そして、このような連結ボルト７に形成された雄ネジ部７１１のところを上記第一アーム６１に設けられた雌ネジ部６１１のところにネジ結合させることによって、第一アーム６１と第二アーム６２とは、一体的に、かつ、一直線上に連結され、所定の長さ（Ｌ）を有するクランクアームが形成されることとなる。そして、このようなクランクアームを形成する第二アーム６２の先端部のところ（Ｏ９）にはペダル９が取付けられ、これによって、本自転車用駆動装置が形成されることとなる。このような構成からなるものにおいて、上記連結ボルト７の締結状態を弛緩させることによって上記第一アーム６１と第二アーム６２との間を上記第二アーム６２に形成された長穴６６内にて相対移動させる。このような状態において、再度上記連結ボルト７を締付けることによって、上記第一アーム６１と第二アーム６２とによって形成される上記Ｌの値を適宜値、例えばＬ’に調整することができる。このように、本実施の形態のものにおいては、クランク軸中心（Ｏ１）からペダル９の取付点（Ｏ９）までの距離（Ｌ）を、その時の状況に応じて適宜値に設定（調整）することができることとなる。
【符号の説明】
【００３０】
１  バランスプレート
１１  質量部
１５  切欠溝
１８  取付ボルト
２  バランスウエイト
２２  ディスクプレート
２５  取付ボルト
２８  スリット
２９  ロックボルト
３  シャフト
３６  センターボルト
５  フライホイール
６  クランクアーム
６１１  雌ネジ部
６１  第一アーム
６２  第二アーム
６６  長穴
６８  アンカー
７  連結ボルト
７１１  雄ネジ部
８  ギヤ
８８  取付部材
９  ペダル
【図１】
0006027957.tif 000002
【図２】
0006027957.tif 000003
【図３】
0006027957.tif 000004
【図４】
0006027957.tif 000005
【図５】
0006027957.tif 000006
【図６】
0006027957.tif 000007
【図７】
0006027957.tif 000008
【図８】
0006027957.tif 000009
【図９】
0006027957.tif 000010